(57)【特許請求の範囲】
【請求項１】
先端側の一端面を閉鎖され周壁部に複数の貫通孔を有する円筒体と、前記円筒体の内側中心を通り前記一端面の中心に固定された電動モータの回転軸と、前記電動モータを配置した基体部と、前記円筒体の先端に配置され結合部を介して前記基体部に固定された案内体と、先端が前記円筒体の内側に開口された塗料供給管とを有する塗料吹付け装置において、
前記円筒体の前記貫通孔のうち前記一端面に近い側の領域の貫通孔は、前記一端面から遠い側の領域の貫通孔よりも小さな開口面積を有し、
前記結合部は、前記一端面に近い側の貫通孔が通過する領域箇所と前記一端面に遠い側の貫通孔が通過する領域箇所では、互いの前記回転軸の前後方向への投影範囲が相違することを特徴とする塗料吹付け装置。
【請求項２】
前記一端面から遠い側の領域の貫通孔は、その中心線が前記円筒体の半径方向外側へ移行するに伴って前記回転軸の回転方向後側へ偏倚するように傾斜されていることを特徴とする請求項１記載の塗料吹付け装置。
【請求項３】
前記近い側の貫通孔が通過する領域箇所と前記遠い側の貫通孔が通過する領域箇所の間に中間環状部材をさらに設け、前記結合部は前記案内体と前記中間環状部材と結合する箇所と、前記中間環状部材と前記基体部を結合する箇所を有することを特徴とする請求項１記載の塗料吹付け装置。
【請求項４】
前記案内体は、前記円筒体の先端を包囲する環状体であることを特徴とする請求項１記載の塗料吹付け装置。
【発明の詳細な説明】
【技術分野】
【０００１】
本発明は、マンションや集合住宅などの既設排水管などの内面を塗料で塗装する塗料吹付け装置に関する。
【背景技術】
【０００２】
マンションや集合住宅などの排水管には、亜鉛メッキ鋼管などが使用されており、これがある程度の期間に亘って使用されると、その内面に錆や異物が付着して排水の流れが害され、また、管内面が腐食することがある。このような事態に対処するには、排水管を新しいものに交換することが考えられるが、これでは大工事となり、大きな経済的負担を強いられる。このため、実際には、排水管の内面を掃除し樹脂塗料などで塗装することで、排水管の機能回復や延命が図られている。
【０００３】
塗装処理において使用される塗料吹付け装置としては、特許文献１に開示されたものが知られている。この塗料吹付け装置は、一端面を閉鎖され周壁部に複数の貫通孔を形成された円筒体が回転軸の先端に設けられている。この回転体を回転させることにより、回転体内に供給された塗料が遠心力で貫通孔から噴射され、排水管の内面に均一状に塗布する。しかしながら、円筒体を包囲する案内枠が設けられていないため、排水管内の曲がり箇所で円筒体と排水管の内面とが接触する現象が生じ、排水立て主管と排水横主管とを連続して塗装するような場合に使用することができない。
【０００４】
これに対して特許文献２に開示された塗料吹付け装置によると、円筒体を包囲する案内体を設けて、排水管内の曲がり箇所で円筒体と排水管の内面とが接触する現象を防止しているが、円筒体の直径方向で対峙するように配置された一対の棒材で形成されているため、貫通孔から噴射さ塗料がこの棒材で妨げられ、塗り残しが生じる。
【先行技術文献】
【特許文献】
【０００５】
【特許文献１】特許第４１９９８９６号公報
【特許文献２】特開平９−２０１５６０号公報
【発明の概要】
【発明が解決しようとする課題】
【０００６】
本発明は、排水横主管又はこれに接続された排水管の内面を塗り残しなく塗装することを可能とした塗料吹付け装置を提供することを目的とする。
【課題を解決するための手段】
【０００７】
上記課題を解決するため本発明の塗料吹付け装置は、先端側の一端面を閉鎖され周壁部に複数の貫通孔を有する円筒体と、前記円筒体の内側中心を通り前記一端面の中心に固定された電動モータの回転軸と、前記電動モータを配置した基体部と、前記円筒体の先端に配置され結合部を介して前記基体部に固定された案内体と、先端が前記円筒体の内側に開口された塗料供給管とを有する塗料吹付け装置において、前記円筒体の前記貫通孔のうち前記一端面に近い側の領域の貫通孔は、前記一端面から遠い側の領域の貫通孔よりも小さな開口面積を有し、前記結合部は、前記一端面に近い側の貫通孔が通過する領域箇所と前記一端面に遠い側の貫通孔が通過する領域箇所では、互いの前記回転軸の前後方向への投影範囲が相違することを特徴とする。
【発明の効果】
【０００８】
周円筒体壁部の複数の貫通孔を同じ開口面積とすると、閉鎖された一端面に近い貫通孔から多くの塗料が噴出し、遠い貫通孔からは少ない塗料しか噴出しないことが生じる。
【０００９】
本発明によれば、案内体を設けることにより排水管内の曲がり箇所を通過できるようにするとともに、案内体を基体部に結合する結合部は、円筒体の一端面に近い側の貫通孔が通過する領域箇所と遠い側の貫通孔が通過する領域箇所では、互いの前後方向の投影範囲が相違するようにした上で、一端面に近い側の貫通孔よりも遠い側の貫通孔の開口面積を大きくしている。このため、塗料がいずれの貫通孔からも噴出されるようになり、結合部がいずれかの領域箇所において貫通孔の噴出を妨げても他の領域箇所においてこれを妨げることがないため、排水管の内面を塗り残し無く塗装することができる。
【図面の簡単な説明】
【００１０】
【図１】上記塗料吹付け装置の使用状態を示す正面視説明図である。
【図２】本発明に係る塗料吹付け装置の主要部を示す斜視図である。
【図３】図１の一部を拡大して示した断面視正面図である。
【図４】上記塗料吹付け装置に装着される円筒体を示す。
【図５】マンションや集合住宅における一般的な排水管系統を示す斜視説明図である。
【図６】上記塗料吹付け装置の案内枠の変形例を示す斜視図である。
【発明を実施するための形態】
【００１１】
以下、図面を参照して実施例を説明する。
この塗料吹付け装置は、図１に示すように、基体部１、円筒体３、塗料供給管４、案内体５及び結合部１３を備えている。
【００１２】
ネック部１４には樹脂塗料を供給するためのホース６の一端が結合されている。  ホース６の内側には、電動モータ２に電力を供給するためのケーブル１５が挿入されており、長さが数十ｍにも及ぶものである。ホース６のネック部１４には、塗料供給管４が接合されている。
【００１３】
基体部１には、外周囲を包囲するように位置されたカバー体７が外嵌状に固定されている。このカバー体７は前方ｆ１へ向かうほど径大化された円錐状の筒体である。
【００１４】
基体部１には電動モータ２が配置され、基体部１から前方ｆ１へ向けて延長された電動モータの回転軸１６を回転させる。
【００１５】
円筒体３の詳細について、図4に示す。図４Ａにおいて、円筒体３は、周壁部３ａとこれの一端面を閉鎖した端面部３ｂとからなっている。端面部３ｂは前方ｆ１側に位置し、この端面部の中心孔に回転軸１６の先端部を内挿され、これら端面部３ｂと回転軸１６とをネジ止め構造で締結することにより回転軸１６と同心状に固定されている。周壁部３ａには多数の貫通孔８ａ、８ｂ、８ｃが形成されており、これら貫通孔８ａ、８ｂ、８ｃのうち端面部３ｂに近い前方ｆ１側の領域ａ１の貫通孔８ａ、８ｂは、端面部３ｂから遠い後方側の領域の貫通孔８ｃより小さな開口面積を有している。
【００１６】
円筒体３は合成樹脂材からなり、前後方向ｆ０の長さは３０〜４０ｍｍであり、外周面の直径は４０〜５０ｍｍであり、周壁部の肉厚は３〜５ｍｍである。前方ｆ１側の領域ａ１内には、前後２つの周方向箇所のそれぞれに断面が円形で中心線の方向が円筒体３の半径方向に合致された円形の８つの貫通孔８ａ、８ｂが周方向に等間隔に形成されている。
【００１７】
一方、後側の領域ａ２内には、周方向箇所に断面が前後方向ｆ０へ長い長方形とされ図４Ｂに示すように中心線ｂ１が円筒体３の半径方向外側へ移行するに伴って回転軸１６の回転方向ｃ１後側へ偏倚するように傾斜された８個〜１０個の貫通孔８ｃが周方向の等間隔に形成されている。そして、各貫通孔８ｃの開口面積は、先の１つの貫通孔８ａ、８ｂの数倍（例えば５倍〜１０倍）である。また、円筒体の外周面の断面の外形を表す円ｄ２の接線と中心線ｂ１との角度は、３０〜６０度程度である。
【００１８】
図３において、塗料供給管４は、金属又は合成樹脂などの硬質な材料で形成され、基体部1の内方を経た後、円筒体３の内側に到達される。塗料供給管４の先端４ａは、前端を円筒体３の端面部３ｂに対向した状態で開口されている。
【００１９】
案内体５は、円筒体３の先端の外周囲を包囲する環状体である。案内体５は、基体部１に対して、前後方向ｆ０に８０ｍｍ〜９０ｍｍの範囲内の長さの結合部１３により固定されている。結合部１３は、円筒体３の中心線ｂ２上の離間した複数位置に該円筒体３の半径面に沿って配置される少なくとも２つ以上からなる複数の環状部材１３ａ、１３ｂと、案内体５及びこれら環状部材１３ａ、１３ｂのうち前後方向ｆ０で隣接した一対のものの相互間を結合する梁１３ｄ、１３ｅとからなるものである。
【００２０】
梁１３ｄ、１３ｅは、回転軸１６の前後方向ｆ０に案内体５に投影したとき、互いの投影範囲が異なるように形成されている。本実施例においては、図２に示すように、それぞれの梁１３ｄ、１３ｅの長手方向の途中の各箇所が円筒体３の周方向へ９０度、ずれた状態に位置している。
【００２１】
次に上記した塗料吹付け装置をマンションや集合住宅の排水管系統に対し使用する場合の取扱い例及び各部の作用について説明する。
【００２２】
図５にはマンションや集合住宅の排水管系統が示してある。この図中、９は建物の各階を従通する排水立て主管であり、１０は排水立て主管９に円弧状に曲がった接続部１１を介して一線状に接続された排水横主管である。これら排水立て主管９及び排水横主管１０及び接続部１１は何れも呼び径１００Ａであるとする。なお、１２は各階の流し台１４と排水立て主管９の分岐部９ａとを接続した分岐管である。
【００２３】
上記した排水横主管１０及び排水立て主管９を継続して塗装する場合、まずはそれに先だってこれら主管９、１０及び接続部１１の内面を従来同様に清掃し温風などで乾燥させた状態とする。この後、作業者は、排水立て主管９の一時的に開口された上端近傍箇所を通じて、排水立て主管９、接続部１１及び排水横主管１０の内方へこの順に塗料吹付け装置を挿入する。
【００２４】
次に作業者は、ケーブル１５を介して電動モータ２に電力を供給し、電動モータ２を始動させる。ホース６及び、塗料供給管４を介して排水管系統の外方から回転中の円筒体３内に樹脂塗料を適当流量で圧送する。
【００２５】
図３は、円筒体３の貫通孔８ａ、８ｂ、８ｃから噴射された樹脂塗料が漸次に肉厚となるように排水立て主管９の内面に塗布され、塗装層ｈ１が形成される様子を示している。圧送された樹脂塗料は円筒体３内で端面部３ｂの内面に接触しその回転による遠心力で半径方向の外側へ矢印ｇ１で示すように案内されつつ、さらに貫通孔８ａ、８ｂから噴出しきれない塗料が矢印ｇ２で示すように流動する。樹脂塗料は前方ｆ１側の領域ａ１の貫通孔８ａ、８ｂを通じて放射状に噴射される。一方、貫通孔８ａ、８ｂの開口面積からの噴射量に較べて塗料供給管４から円筒体３内に供給される樹脂塗料の流量が大きいため、樹脂塗料は前方ｆ１側の領域ａ１を通過して後方側の領域ａ２の貫通孔８ｃまで到達されて噴出する。
【００２６】
後方側の領域ａ２の貫通孔８ｃは貫通孔８ａ、８ｂよりも開口面積が大きく、また、貫通孔８ａ、８ｂにおいて噴出し得ずに後方側の領域ａ２にまで達した樹脂塗料が円筒体３の後端から溢れることがないように、これを十分噴出しきれる大きさとなっている。
【００２７】
また、その中心線ｂ１が適当に傾斜しているため、起風作用が生じ、貫通孔８ｃ内を円筒体３の内方から外方へ向かって流動する空気流が生成されるため、後端から溢れ出しをさらに抑止している。この空気流は、電動モータ２を介して流動するようにしておけば、電動モータ２の冷却にも効果を資するものである。
【００２８】
このような貫通孔８ｃからの樹脂塗料の噴出による塗布処理が行われている状態の下で、作業者はホース６を巻上げて、排水横主管１０内をこれの上流側へ引き戻し移動させる。この引き移動速度や円筒体３内への樹脂塗料の供給を適当に制御することにより、排水横主管１０の内面は連続的に塗装される。
【００２９】
塗料吹付け装置の引き戻し移動による塗装処理中、円筒体３の貫通孔８ａ、８ｂ、８ｃから噴射される樹脂塗料は円筒体３の周壁部３ａの全周囲から放射状に噴射される状態となるが、環状部材１３ａ、１３ｂ間に前後方向ｆ０に沿って存在する梁１３ｄが存在するため、この梁１３ｄの存在範囲で樹脂塗料が放射を遮られて排水管１０の内面に到達することができないことになる影の領域が一時的に形成される。しかし、塗料吹付け装置が梁１３ｄの長さだけ引き移動されると、案内体５と環状部材１３ａ間には前記影の領域と同じ範囲を影の領域とする梁は存在していない。このため、案内体５と環状部材１３ａとの間から放射される樹脂塗料が前記影の領域に吹き付けられ塗布される。一方、案内体５と環状部材１３ａとの間には梁１３ｅが存在しており、この梁１３ｅによる別の影の領域が新たに形成されるが、この別の影の領域は先行側である貫通孔８ｃを通じて放射される樹脂塗料が既に吹き付けられて塗布された状態となっている。したがって、塗料吹付け装置が通過した後の排水管横主管１０の内面の全体が塗り残し無く塗装される。
【００３０】
図５に戻り、塗装処理が進行して、塗料吹付け装置が排水横主管１０から排水立て主管９へ移行する接続部１１の円弧状の曲がり通路内に到達する。このとき、案内体５が存在しないときは円筒体３と曲がり通路の内面とが接触する。案内体５が存在することにより、このような事態の発生は阻止され、円筒体３は円弧状の曲がり通路内であっても回転を継続できる。
【００３１】
塗料吹付け装置は、接続部１１を通過して、排水立て主管９内に到達した後には、ホース６で垂直姿勢に吊り下げられた状態となる。上方への引き移動に伴って、塗料吹付け装置が通過した後の排水立て主管９の内面が塗装される。
【００３２】
次に案内梁１３の変形例について説明する。
図６Ａに示すように、案内体５と環状部材１３ｂとの間を、一対の梁１３ｆで結合している。梁材１３ｆは案内体５と環状部材１３ｂとの間範囲の全長に渡って、前後方向ｆ０に対し角度θ１だけ傾斜されている構成とする。
【００３３】
また図６Ｂに示すように、案内体５と環状部材１３ａ、１３ｂとの間を、前後で隣接した各一対の環状部材間（案内体５と環状部材１３ａの間、環状部材１３ａと環状部材１３ｂの間）を棒状体からなる梁１３ｆ１、１３ｆ２で結合する場合には、梁１３ｆ１、１３ｆ２は、前後方向ｆ０に対し図６Ａの場合と同様に傾斜されている状態とする。また、梁１３ｆ１、１３ｆ２は、前後方向ｆ０に案内体５へ投影したときの投影範囲が互いに相違した状態となるように配置する。
【００３４】
上記した図６Ａ及びＢに示すような結合部５であっても、円筒体３の貫通孔８ａ、８ｂ、８ｃから噴射される樹脂塗料の放射が梁１３ｆ、１３ｆ１、１３ｆ２に遮られて排水管の内面に樹脂塗料の塗布されない影の領域が塗料吹付け装置の通過した後の排水管の内面に形成される事態は回避される。
【符号の説明】
【００３５】
１  基体部
２  電動モータ
３ａ  周壁部
３  円筒体
４  塗料供給管
５  案内体
８ａ  貫通孔
８ｂ  貫通孔
８ｃ  貫通孔
９  排水立て主管
１０  排水横主管
１３  結合部
１３ａ、１３ｂ  環状部材
１３ｄ、１３ｅ  梁
１４  ネック部
１６  回転軸
ａ１  領域
ａ２  領域
ｂ１  中心線
ｃ１  回転方向
ｆ０  前後方向
ｆ１  前方
【図１】
0005461975.tif 000002
【図２】
0005461975.tif 000003
【図３】
0005461975.tif 000004
【図４】
0005461975.tif 000005
【図５】
0005461975.tif 000006
【図６】
0005461975.tif 000007